【手続補正書】
【提出日】平成19年1月30日(2007.1.30)
【手続補正１】
【補正対象書類名】明細書
【補正対象項目名】特許請求の範囲
【補正方法】変更
【補正の内容】
【特許請求の範囲】
【請求項１】  他の情報処理装置とネットワークを介して接続される情報処理装置において、
複数のメンバーが、共同してコンテンツを制作する活動を行うためのものであって、認証された前記メンバーのみが、前記他の情報処理装置を用いてアクセス可能なコミュニティの前記ネットワークへの提供を制御する制御手段と、
前記ネットワークを介した前記他の情報処理装置からのアクセスを受信する受信手段と、
前記受信手段により前記他の情報処理装置からのアクセスを受信した場合、前記コミュニティに対するアクセス権の認証処理を行う認証手段と、
前記認証手段による認証結果に基づいて、前記ネットワークを介して前記他の情報処理装置に、前記コミュニティに対応するデータを送信する送信手段と
を備えることを特徴とする情報処理装置。
【請求項２】 認証された前記メンバーが有する前記他の情報処理装置から送信された前記コンテンツを、前記コミュニティに対応付けて記憶する記憶手段を更に備える
ことを特徴とする請求項１に記載の情報処理装置。
【請求項３】  前記送信手段は、前記コミュニティに対応付けて前記記憶手段に記憶された前記コンテンツを前記他の情報処理装置に更に送信する
ことを特徴とする請求項２に記載の情報処理装置。
【請求項４】  前記受信手段は、前記送信手段により前記他の情報処理装置に送信された前記コミュニティに対応付けて前記記憶手段に記憶されていた第１のコンテンツに基づいて制作された第２のコンテンツを、認証された前記メンバーが有する前記他の情報処理装置から受信し、
前記記憶手段は、前記受信手段により受信された前記第２のコンテンツを、前記コミュニティに対応付けてさらに記憶する
ことを特徴とする請求項３に記載の情報処理装置。
【請求項５】  前記制御手段は、前記他の情報処理装置のユーザに対してIDを発行する
ことを特徴とする請求項２に記載の情報処理装置。
【請求項６】  前記記憶手段は、前記コンテンツの制作者が識別できるように、前記IDに対応付けて前記コンテンツを記憶する
ことを特徴とする請求項５に記載の情報処理装置。
【請求項７】  他の情報処理装置とネットワークを介して接続される情報処理装置の情報処理方法において、
相互に所定の関係にある複数のメンバーが、共同してコンテンツを制作する活動を行うためのものであって、認証された前記メンバーのみが、前記他の情報処理装置を用いてアクセス可能なコミュニティを前記ネットワークに提供する処理を制御する制御ステップと、
前記ネットワークを介した前記他の情報処理装置からのアクセスの受信を制御する受信制御ステップと、
前記受信制御ステップの処理により前記他の情報処理装置からのアクセスを受信した場合、前記コミュニティに対するアクセス権の認証処理を行う認証ステップと、
前記認証ステップの処理による認証結果に基づいて、前記コミュニティに対応するデータの、前記ネットワークを介した前記他の情報処理装置への送信を制御する送信制御ステップと
を含むことを特徴とする情報処理方法。
【請求項８】  他の情報処理装置とネットワークを介して接続される情報処理装置の制御用のプログラムであって、
相互に所定の関係にある複数のメンバーが、共同してコンテンツを制作する活動を行うためのものであって、認証された前記メンバーのみが、前記他の情報処理装置を用いてアクセス可能なコミュニティを前記ネットワークに提供する処理を制御する制御ステップと、
前記ネットワークを介した前記他の情報処理装置からのアクセスの受信を制御する受信制御ステップと、
前記受信制御ステップの処理により前記他の情報処理装置からのアクセスを受信した場合、前記コミュニティに対するアクセス権の認証処理を行う認証ステップと、
前記認証ステップの処理による認証結果に基づいて、前記コミュニティに対応するデータの、前記ネットワークを介した前記他の情報処理装置への送信を制御する送信制御ステップと
を含むことを特徴とする処理を情報処理装置に実行させるための、コンピュータが読み取り可能なプログラムが記録されている記録媒体。
【手続補正２】
【補正対象書類名】明細書
【補正対象項目名】００１２
【補正方法】変更
【補正の内容】
【００１２】
【課題を解決するための手段】
本発明の情報処理装置は、複数のメンバーが、共同してコンテンツを制作する活動を行うためのものであって、認証されたメンバーのみが、他の情報処理装置を用いてアクセス可能なコミュニティのネットワークへの提供を制御する制御手段と、ネットワークを介した他の情報処理装置からのアクセスを受信する受信手段と、受信手段により他の情報処理装置からのアクセスを受信した場合、コミュニティに対するアクセス権の認証処理を行う認証手段と、認証手段による認証結果に基づいて、ネットワークを介して他の情報処理装置に、コミュニティに対応するデータを送信する送信手段とを備えることを特徴とする。
【手続補正３】
【補正対象書類名】明細書
【補正対象項目名】００１３
【補正方法】変更
【補正の内容】
【００１３】
認証されたメンバーが有する他の情報処理装置から送信されたコンテンツを、コミュニティに対応付けて記憶する記憶手段を更に備えさせるようにすることができる。
【手続補正４】
【補正対象書類名】明細書
【補正対象項目名】００１４
【補正方法】変更
【補正の内容】
【００１４】
送信手段には、コミュニティに対応付けて記憶手段に記憶されたコンテンツを他の情報処理装置に更に送信させるようにすることができる。
【手続補正５】
【補正対象書類名】明細書
【補正対象項目名】００１５
【補正方法】変更
【補正の内容】
【００１５】
前記受信手段には、送信手段により他の情報処理装置に送信されたコミュニティに対応付けて記憶手段に記憶されていた第１のコンテンツに基づいて制作された第２のコンテンツを、認証されたメンバーが有する他の情報処理装置から受信させるようにすることができ、記憶手段には、受信手段により受信された第２のコンテンツを、コミュニティに対応付けてさらに記憶させるようにすることができる。
【手続補正６】
【補正対象書類名】明細書
【補正対象項目名】００１６
【補正方法】変更
【補正の内容】
【００１６】
制御手段には、他の情報処理装置のユーザに対してIDを発行させるようにすることができる。
【手続補正７】
【補正対象書類名】明細書
【補正対象項目名】００１７
【補正方法】変更
【補正の内容】
【００１７】
記憶手段には、コンテンツの制作者が識別できるように、IDに対応付けてコンテンツを記憶させるようにすることができる。
【手続補正８】
【補正対象書類名】明細書
【補正対象項目名】００１８
【補正方法】変更
【補正の内容】
【００１８】
本発明の情報処理方法は、相互に所定の関係にある複数のメンバーが、共同してコンテンツを制作する活動を行うためのものであって、認証されたメンバーのみが、他の情報処理装置を用いてアクセス可能なコミュニティをネットワークに提供する処理を制御する制御ステップと、ネットワークを介した他の情報処理装置からのアクセスの受信を制御する受信制御ステップと、受信制御ステップの処理により他の情報処理装置からのアクセスを受信した場合、コミュニティに対するアクセス権の認証処理を行う認証ステップと、認証ステップの処理による認証結果に基づいて、コミュニティに対応するデータの、ネットワークを介介した他の情報処理装置への送信を制御する送信制御ステップとを含むことを特徴とする。
【手続補正９】
【補正対象書類名】明細書
【補正対象項目名】００１９
【補正方法】変更
【補正の内容】
【００１９】
本発明の記録媒体に記録されているプログラムは、相互に所定の関係にある複数のメンバーが、共同してコンテンツを制作する活動を行うためのものであって、認証されたメンバーのみが、他の情報処理装置を用いてアクセス可能なコミュニティをネットワークに提供する処理を制御する制御ステップと、ネットワークを介した他の情報処理装置からのアクセスの受信を制御する受信制御ステップと、受信制御ステップの処理により他の情報処理装置からのアクセスを受信した場合、コミュニティに対するアクセス権の認証処理を行う認証ステップと、認証ステップの処理による認証結果に基づいて、コミュニティに対応するデータの、ネットワークを介した他の情報処理装置への送信を制御する送信制御ステップとを含む処理を情報処理装置に実行させることを特徴とする。
【手続補正１０】
【補正対象書類名】明細書
【補正対象項目名】００２０
【補正方法】変更
【補正の内容】
【００２０】
本発明の情報処理装置、情報処理方法、および記録媒体に記録されているプログラムにおいては、複数のメンバーが、共同してコンテンツを制作する活動を行うためのものであって、認証されたメンバーのみが、他の情報処理装置を用いてアクセス可能なコミュニティがネットワークに提供され、ネットワークを介して他の情報処理装置からアクセスが受信され、他の情報処理装置からのアクセスを受信した場合、コミュニティに対するアクセス権の認証処理が行われ、認証結果に基づいて、ネットワークを介して他の情報処理装置に、コミュニティに対応するデータが送信される。
【手続補正１１】
【補正対象書類名】明細書
【補正対象項目名】０１５２
【補正方法】変更
【補正の内容】
【０１５２】
【発明の効果】
本発明の情報処理装置、情報処理方法、および記録媒体に記録されているプログラムによれば、複数のメンバーが、共同してコンテンツを制作する活動を行うためのものであって、認証されたメンバーのみが、他の情報処理装置を用いてアクセス可能なコミュニティをネットワークに提供し、ネットワークを介して他の情報処理装置からアクセスを受信し、アクセスを受信した場合、コミュニティに対するアクセス権の認証処理を行い、認証結果に基づいて、ネットワークを介して他の情報処理装置に、コミュニティに対応するデータを送信するようにしたので、複数の認証されたメンバーがコミュニティにおいて、共同してコンテンツを作成することが可能となる。